(57)【要約】      （修正有）【課題】動力源に接続する必要がなく、且つ、小型化を図ることにより、持ち運んで使用することができ、その上、バッテリーケースを第二握持部とすることにより、片手あるいは両手で握持して使用することができる、取り扱いが容易な携帯式電動研磨装置を提供する。【解決手段】携帯式電動研磨装置は、ケーシング１０と、該ケーシングの外周面から突出するように固設される第一握持部２０と、該第一握持部とは別に、該ケーシングの外周面から突出するように固設される第二握持部３０と、該ケーシングの内部に内設される駆動装置と、該駆動装置に設置される研磨部材５０と、を有する。その内、該第二握持部は該駆動装置に電気的に接続される筒状のバッテリーケース３１を有する。【選択図】図１
0003183083.tif 000002
【実用新案登録請求の範囲】
【請求項１】
一端に開口側部が形成されるケーシングと、
該ケーシングの外周面から突出するように固設される第一握持部と、
該第一握持部とは別に、該ケーシングの外周面から突出するように固設される第二握持部と、
入力軸と出力軸とを有する歯車減速機構と、回転軸が該入力軸に固設される電動モーターと、該出力軸に固設される偏心部材と、該開口側部に位置すると共に、該偏心部材に固設される駆動軸と、該電動モーターに電気的に接続されるプリント基板と、該プリント基板に電気的に接続されるスイッチと、を有し、該ケーシングの内部に内設される駆動装置と、
該開口側部の外側に位置すると共に、該駆動軸に設置される研磨部材と、を有する携帯式電動研磨装置であって、
前記第二握持部に、前記プリント基板に電気的に接続される筒状のバッテリーケースが設けられることを特徴とする携帯式電動研磨装置。
【請求項２】
前記第二握持部に、前記ケーシングの外周面から一体に突出するように接続管が設けられ、
前記バッテリーケースは、前記接続管に嵌め込まれると共に、その一側が該接続管の開口側部からは突出することを特徴とする請求項１に記載の携帯式電動研磨装置。
【請求項３】
前記ケーシングに、前記第一握持部と一体に形成される取り付け部が設けられると共に、前記ケーシングの両側にそれぞれ前記開口側部及び該取り付け部が形成されることを特徴とする請求項１又は２に記載の携帯式電動研磨装置。
【請求項４】
前記第一握持部の外周面に複数の凹部が形成されることを特徴とする請求項１又は２に記載の携帯式電動研磨装置。
【請求項５】
前記第一握持部の外周面に複数の凹部が形成されることを特徴とする請求項３に記載の携帯式電動研磨装置。
【請求項６】
前記第一握持部は、楕円形を呈し、
前記取り付け部は、前記第一握持部に向かって徐々に細くなると共に、断面積が該第一握持部の断面積より小さいことを特徴とする請求項５に記載の携帯式電動研磨装置。
【考案の詳細な説明】
【技術分野】
【０００１】
本考案は、特に工作物の表面を研磨したり、表面にワックスを塗布してきれいに磨き上げることができる、実用性に優れた携帯式電動研磨装置に関するものである。
【背景技術】
【０００２】
上述したように、電動研磨装置は、圧縮空気又は電源などの動力源に接続してから、金属又は木材などの工作物に押し当てて表面を研磨したり、表面にワックスを塗布してきれいに磨き上げることができるものである。
【考案の概要】
【考案が解決しようとする課題】
【０００３】
しかしながら、前記従来の構成は、必ず動力源に接続しなければならず、且つ、体積も大きいことから、持ち運んで使用することができず、また、構造も複雑であるので、実用性に優れない。
【０００４】
本考案は、上記事情に鑑みてなされたものであり、動力源に接続することなく、且つ、小型化が可能となるので、持ち運んで使用することができ、更に、バッテリーケースが第二握持部となるため、片手あるいは両手で握って使用することができる、取り扱いが容易な携帯式電動研磨装置を提供することを目的としている。
【課題を解決するための手段】
【０００５】
本考案に係る携帯式電動研磨装置は、一端に開口側部が形成されるケーシングと、該ケーシングの外周面から突出するように固設される第一握持部と、該第一握持部とは別に、該ケーシングの外周面から突出するように固設される第二握持部と、入力軸と出力軸とを有する歯車減速機構、回転軸が該入力軸に固設される電動モーター、該出力軸に固設される偏心部材、該開口側部に位置すると共に、該偏心部材に固設される駆動軸、該電動モーターに電気的に接続されるプリント基板及び該プリント基板に電気的に接続されるスイッチを有し、該ケーシングの内部に内設される駆動装置と、該開口側部の外側に位置すると共に、該駆動軸に設置される研磨部材と、を有するものである。該第二握持部に、該プリント基板に電気的に接続される筒状のバッテリーケースを有する。
【０００６】
前記第二握持部に、前記ケーシングの外周面から一体に突出するように接続管が設けられ、前記バッテリーケースは、前記接続管に嵌め込まれると共に、その一側が該接続管の開口部から突出することが好ましい。
【０００７】
前記ケーシングに、前記第一握持部と一体に形成される取り付け部が設けられると共に前記ケーシングの両側にそれぞれ前記開口側部及び該取り付け部が形成されることが好ましい。
【０００８】
前記第一握持部の外周面に複数の凹部が形成されることが好ましい。
【０００９】
前記第一握持部は、楕円形を呈し、前記取り付け部は、前記第一握持部に向かって徐々に細くなると共に、断面積が該第一握持部の断面積より小さいことが好ましい。
【考案の効果】
【００１０】
本考案に係る携帯式電動研磨装置は上記の如く、バッテリーケースが内蔵されるので、動力源に接続することなく、且つ、小型化も可能となるので、持ち運んで使用することができる。
【００１１】
バッテリーケースが第二握持部となることから、片手あるいは両手で握って使用することができるので、取り扱いが容易であり、また、本願のバッテリーケースは、電力を提供するだけでなく、握持機能も提供するので、小型化を達成できる。
【００１２】
尚、工作物を研磨する時は通常、片手で第一握持部のみ握持することによって作業を行い、一方、工作物をより細く研磨する時には、両手で第一握持部及び第二握持部を共に握持することによって作業を行い、また、場合に応じて様々な使用方法を用いてもよい。
【００１３】
更に、第一握持部の外周面に複数の凹部が形成されることから、それら凹部が滑り止めとして機能するので、使用者はしっかりと第一握持部を握持することができ、さらに、楕円形の第一握持部及び先細の取り付け部を有するので、人間工学的にも優れている。
【００１４】
その上、駆動装置をケーシングの内部に内設することによって、より小型化を図ることができる。
【図面の簡単な説明】
【００１５】
【図１】本考案に係る携帯式電動研磨装置の実施例の斜視図である。
【図２】本考案に係る携帯式電動研磨装置の実施例の他の斜視図である。
【図３】本考案に係る携帯式電動研磨装置の実施例の平面図である。
【図４】本考案に係る携帯式電動研磨装置の実施例の分解斜視図である。
【図５】本考案に係る携帯式電動研磨装置の実施例の部分断面図である。
【図６】本考案に係る携帯式電動研磨装置の使用状態を示す側面図である。
【図７】本考案に係る携帯式電動研磨装置の使用状態を示す側面図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１乃至図５に示すように、本考案に係る携帯式電動研磨装置は、一端に開口側部１１が形成されるケーシング１０と、該ケーシング１０の外周面から突出するように固設される第一握持部２０と、該第一握持部２０とは別に、該ケーシング１０の外周面から突出するように固設される第二握持部３０と、入力軸と出力軸とを有する歯車減速機構４１、回転軸が該入力軸に固設される電動モーター４２、該出力軸に固設される偏心部材４３、該開口側部１１に位置すると共に、該偏心部材４３に固設される駆動軸４４、該電動モーター４２に電気接続されるプリント基板４５及び該プリント基板４５に電気的に接続されるスイッチ４６を有し、該ケーシング１０の内部に内設される駆動装置４０と、該開口側部１１の外側に位置すると共に、該駆動軸４４に設置される研磨部材５０と、を有するものである。
【００１８】
そのうち、前記ケーシング１０に、前記第一握持部２０と一体に形成される取り付け部１２が設けられると共に、該ケーシング１０の両側にそれぞれ前記開口側部１１及び該取り付け部１２が形成され、該第一握持部２０は、楕円形を呈し、その外周面に複数の凹部２１が形成され、該取り付け部１２は、該第一握持部２０に向かって徐々に細くなると共に、断面積が該第一握持部２０の断面積より小さい構成となっている。
【００１９】
一方、前記第二握持部３０は、前記プリント基板４５に電気的に接続される筒状のバッテリーケース３１と、前記ケーシング１０の外周面から一体に突出するように設けられる接続管３２と、を有し、そのうち、該バッテリーケース３１は、該接続管３２に嵌め込まれると共に、その一側が該接続管３２の開口側部から突出する。尚、前記駆動装置４０及び研磨部材５０は従来技術であるので、説明は省略する。
【００２０】
図６に示すように、工作物をより細く研磨する時は、両手で第一握持部２０及び第二握持部３０を共に握持することにより作業を行い、一方、図７に示すように、工作物を簡単に研磨する時には、片手で第一握持部２０のみ握持することにより作業を行うことができるので、場合に応じて様々な使用方法を用いることができる。
【００２１】
また、前記第二握持部３０には三種類の態様があり、第１の態様においては、接続管３２がケーシング１０に一体に形成され、バッテリーケース３１が一部が露出するように接続管３２に嵌め込まれる。第２の態様においては、接続管がケーシングに一体に形成され、バッテリーケースが接続管で被覆される。第３の態様においては、接続管が設けられず、バッテリーケースが露出するようにケーシングの外周面に嵌め込まれる。これらの態様によれば、バッテリーケースをケーシングの外側に設け、バッテリーケースを第二握持部とすることから、片手あるいは両手で握持して使用することができるので、取り扱いが容易である。尚、本考案の構成は、上述した各態様に限定されるものではない。
【符号の説明】
【００２２】
１０  ケーシング
１１  開口側部
１２  取り付け部
２０  第一握持部
２１  凹部
３０  第二握持部
３１  バッテリーケース
３２  接続管
４０  駆動装置
４１  歯車減速機構
４２  電動モーター
４３  偏心部材
４４  駆動軸
４５  プリント基板
４６  スイッチ
５０  研磨部材
【図１】
0003183083.tif 000003
【図２】
0003183083.tif 000004
【図３】
0003183083.tif 000005
【図４】
0003183083.tif 000006
【図５】
0003183083.tif 000007
【図６】
0003183083.tif 000008
【図７】
0003183083.tif 000009